(57)【要約】【課題】部品点数を減らすことができ、かつ、組立性を向上させることができる電池ユニット、及び、この電池ユニットを備える照明器具を提供する。【解決手段】照明器具は、電池ユニット９Ａと、非常用照明装置とを備える。非常用照明装置は、電池ユニット９Ａから給電される。電池ユニット９Ａは、蓄電池９Ｂと、本体部９３と、蓋部９４と、防水パッキン９５とを備える。本体部９３は、開口部９３Ａを有し、蓄電池９Ｂを収容する。蓋部９４は、開口部９３Ａを覆うように本体部９３と嵌合する。防水パッキン９５は、本体部９３に蓋部９４が嵌合されているときに本体部９３と蓋部９４とに挟持されている。防水パッキン９５は、本体部９３に収容されている蓄電池９Ｂ側に形成された凹部９５８を有する。【選択図】図１６
2018147586.tif 000002
【特許請求の範囲】
【請求項１】
蓄電池と、
開口部を有し前記蓄電池を収容する本体部と、
前記開口部を覆うように前記本体部と嵌合する蓋部と、
前記本体部に前記蓋部が嵌合されているときに前記本体部と前記蓋部とに挟持されている防水パッキンとを備え、
前記防水パッキンは、前記本体部に収容されている前記蓄電池側に形成された凹部を有する
ことを特徴とする電池ユニット。
【請求項２】
前記防水パッキンと前記本体部に収容されている前記蓄電池との間に設けられた板状のパッキンを更に備える
ことを特徴とする請求項１に記載の電池ユニット。
【請求項３】
請求項１又は２に記載の電池ユニットと、
前記電池ユニットから給電される非常用照明装置とを備える
ことを特徴とする照明器具。
【請求項４】
前記非常用照明装置が取り付けられる器具本体と、
前記器具本体との間に前記電池ユニットが配置された状態で前記器具本体に取り付けられて前記電池ユニットを前記器具本体に固定する固定金具とを更に備える
ことを特徴とする請求項３に記載の照明器具。
【発明の詳細な説明】
【技術分野】
【０００１】
本発明は、電池ユニット及び照明器具に関し、より詳細には、本体部と蓋部とが嵌合する電池ユニット、及び、非常用照明を行う照明器具に関する。
【背景技術】
【０００２】
従来例として、特許文献１記載の照明器具を例示する。この従来例は、器具本体と、常用照明用の常用光源ユニットと、非常照明用の非常用照明装置とを備えている。器具本体は、下面が開口する長尺かつ矩形の箱形に形成されている。常用光源ユニットは、複数のＬＥＤモジュールと、各ＬＥＤモジュールが取り付けられる取付部材と、各ＬＥＤモジュールを覆うようにして取付部材に取り付けられるカバーと、各ＬＥＤモジュールを点灯する電源装置とを備えている。常用光源ユニットは、器具本体の下面からカバーを露出するようにして器具本体内に収容される。
【０００３】
非常用照明装置は、非常用光源ユニットと、制御装置とを備える。非常用光源ユニットは、ＬＥＤモジュール、レンズ、カバー、非常用電源（蓄電池）などを備える。ＬＥＤモジュールの前方にレンズが配置される。カバーは、レンズを前方に露出するようにしてＬＥＤモジュールの前方に配置される。非常用電源は、ＬＥＤモジュールの後方に配置されている。制御装置は、常用電源から供給される電力で非常用電源を充電する充電回路と、常用電源の停電時に非常用電源を電源としてＬＥＤモジュールを点灯させる非常用電源回路とを備える。また、制御装置は、点検スイッチによる操作入力を受け取って点検動作を行う制御回路を備える。常用電源は、例えば、常用光源ユニットの電源装置に給電する電源（商用の交流電源）である。
【先行技術文献】
【特許文献】
【０００４】
【特許文献１】特開２０１６−１３４２０８号公報
【発明の概要】
【発明が解決しようとする課題】
【０００５】
ところで、従来の照明器具では、用途に応じて、蓄電池を含む電池ユニット（非常用電源）の防水性を高めることが要求される。このとき、電池ユニットの防水性を高めつつ、電池ユニットの部品点数を減らし、かつ、蓄電池に接続される電線の配線をしやすくして電池ユニットを組立てやすくすることも要求される。
【０００６】
本発明は上記の点に鑑みてなされた発明であり、本発明の目的は、部品点数を減らすことができ、かつ、組立性を向上させることができる電池ユニット、及び、この電池ユニットを備える照明器具を提供することにある。
【課題を解決するための手段】
【０００７】
本発明の一態様に係る電池ユニットは、蓄電池と、本体部と、蓋部と、防水パッキンとを備える。前記本体部は、開口部を有し、前記蓄電池を収容する。前記蓋部は、前記開口部を覆うように前記本体部と嵌合する。前記防水パッキンは、前記本体部に前記蓋部が嵌合されているときに前記本体部と前記蓋部とに挟持されている。前記防水パッキンは、凹部を有する。前記凹部は、前記本体部に収容されている前記蓄電池側に形成されている。
【０００８】
本発明の一態様に係る照明器具は、前記電池ユニットと、非常用照明装置とを備える。前記非常用照明装置は、前記電池ユニットから給電される。
【発明の効果】
【０００９】
本発明の上記態様に係る電池ユニット及び照明器具によれば、部品点数を減らすことができ、かつ、組立性を向上させることができる。
【図面の簡単な説明】
【００１０】
【図１】図１は、本発明の一実施形態に係る照明器具の斜視図である。
【図２】図２は、同上の照明器具の分解斜視図である。
【図３】図３は、同上の照明器具の常用照明装置を省略した分解斜視図である。
【図４】図４は、同上の照明器具の要部の断面斜視図である。
【図５】図５は、本発明の一実施形態に係る非常用照明装置の下方から見た分解斜視図である。
【図６】図６は、同上の非常用照明装置の上から見た分解斜視図である。
【図７】図７は、同上の非常用照明装置の縦方向の断面図である。
【図８】図８は、同上の非常用照明装置における非常用光源ユニット及び制御装置の分解斜視図である。
【図９】図９は、同上の照明器具の器具本体の要部を示す下面図である。
【図１０】図１０は、同上の照明器具の器具本体の要部及び非常用電源ユニットを示す下面図である。
【図１１】図１１は、図１０のＸ１−Ｘ１線断面図である。
【図１２】図１２は、図１０のＸ２−Ｘ２線断面図である。
【図１３】図１３は、同上の照明器具の電池ユニットの斜視図である。
【図１４】図１４は、同上の照明器具の電池ユニットの分解斜視図である。
【図１５】図１５は、同上の照明器具の電池ユニットの断面図である。
【図１６】図１６Ａ及び図１６Ｂは、同上の照明器具の電池ユニットの断面図である。
【図１７】図１７は、同上の照明器具の非常用電源ユニットの斜視図である。
【図１８】図１８Ａは、同上の照明器具の電池ユニットの本体部の左方から見た斜視図である。図１８Ｂは、同上の照明器具の電池ユニットの本体部の右方から見た斜視図である。図１８Ｃは、同上の照明器具の電池ユニットの本体部の左面図である。
【図１９】図１９Ａは、同上の照明器具の電池ユニットの蓋部の左方から見た斜視図である。図１９Ｂは、同上の照明器具の電池ユニットの蓋部の右方から見た斜視図である。図１９Ｃは、同上の照明器具の電池ユニットの蓋部の側面図である。
【図２０】図２０Ａは、同上の照明器具の電池ユニットの防水パッキンの左方から見た斜視図である。図２０Ｂは、同上の照明器具の電池ユニットの防水パッキンの右方から見た斜視図である。図２０Ｃは、同上の照明器具の電池ユニットの防水パッキンの左面図である。図２０Ｄは、同上の照明器具の電池ユニットの防水パッキンの側面図である。
【図２１】図２１Ａは、同上の照明器具の電池ユニットのパッキンの左方から見た斜視図である。図２１Ｂは、同上の照明器具の電池ユニットのパッキンの左面図である。図２１Ｃは、同上の照明器具の電池ユニットのパッキンの側面図である。
【発明を実施するための形態】
【００１１】
（１）照明器具の全体構成
本実施形態に係る照明器具について、図面を参照して詳細に説明する。本実施形態の照明器具１は、例えば、集合住宅の開放廊下の天井や、屋外の駐輪場の軒下、倉庫のトラックヤードの軒下、湿気の多い食品工場の天井などに直付けされる直付け形の照明器具であるが、埋込形の照明器具や壁に取り付けられる照明器具であってもよい。なお、以下の実施形態で説明する構成は本発明の一例にすぎない。本発明は、以下の実施形態に限定されず、本発明の効果を奏することができれば、設計等に応じて種々の変更が可能である。
【００１２】
（２）照明器具の各構成要素
本実施形態の照明器具１は、図１〜図３に示すように、常用照明を行う常用照明装置２と、非常用照明を行う非常用照明装置３と、常用照明装置２及び非常用照明装置３を収容する器具本体１０とを備えている。さらに、照明器具１は、非常用照明装置３に給電する非常用電源ユニット９を備えている。なお、以下の説明では、特に断りのない限り、図１に示す向きにおいて、照明器具１の上下、左右及び前後の各方向を規定する。
【００１３】
（２．１）器具本体
器具本体１０は、長尺状であり、常用照明装置２及び非常用照明装置３が取り付けられている。器具本体１０は、長尺の矩形平板状の天板１１と、天板１１の長手方向（左右方向）に沿った２つの端縁のそれぞれから下向きに突出する一対の第１側板１２とを有している。器具本体１０は、さらに、天板１１の短手方向（前後方向）に沿った２つの端縁のそれぞれから下向きに突出する一対の第２側板１３と、各第１側板１２の下端から斜め下向きに突出する一対の反射板１４とを有している。すなわち、器具本体１０は、天板１１に対向する下面に開口部を有した矩形の箱状に形成されている。天板１１は、その左右方向におけるほぼ中央に、電線を通すための孔を有している。また、天板１１は、吊りボルトを通すための孔１１１を有している（図２参照）。なお、各第２側板１３の下端には、天板１１と平行して突出する取付片１３０がそれぞれ設けられている（図３参照）。各取付片１３０には、ねじ孔（雌ねじ）１３１が設けられている。
【００１４】
器具本体１０は、図９〜図１２に示すように、電池ユニット９Ａの少なくとも一部が収容される凹部１５を有する。より詳細には、器具本体１０の天板１１に凹部１５が形成されている。
【００１５】
さらに、器具本体１０の天板１１は、基部１１２と、凹部１５の底に設けられた底面部１１３と、凹部１５の側面に設けられており基部１１２と底面部１１３とを接続する２つの接続部１１４とを有する。各接続部１１４は、基部１１２から底面部１１３に向けて傾斜して設けられている。より詳細には、各接続部１１４は、底面部１１３に近づくにつれて器具本体１０の短手方向の中心に近づくように傾斜している。各接続部１１４は、電池ユニット９Ａを器具本体１０に固定するときに、電池ユニット９Ａのうち凹部１５に収容される部分をガイドする。
【００１６】
凹部１５には、器具本体１０の長手方向において、電池ケース９０の突出部位が収容されており、器具本体１０における凹部１５の周囲には、電池ケース９０のうち突出部位の周囲部分が接触する。同様に、器具本体１０の短手方向において、凹部１５には、電池ケース９０の突出部位が収容されており、器具本体１０における凹部１５の周囲には、電池ケース９０のうち突出部位の周囲部分が接触する。
【００１７】
なお、凹部１５は、ブリッジ形状であってもよいし、ランス形状であってもよい。また、凹部１５は、開口であってもよい。
【００１８】
（２．２）常用照明装置
常用照明装置２は、図２及び図４に示すように、ＬＥＤモジュール２０（常用光源）と、ＬＥＤモジュール２０を支持する支持板２１と、ＬＥＤモジュール２０を支持した支持板２１を内部に収容するケース２２と、電源装置と、２つの固定具２３と、２つの取付具２４とを備える。常用照明装置２は、器具本体１０に支持されており、常用照明を行う。
【００１９】
ＬＥＤモジュール２０は、左右方向に長い矩形板状に形成された基板（プリント配線板）２００と、基板２００の下面に実装された複数個のＬＥＤ（Light Emitting Diode）２０１とを有する。複数個のＬＥＤ２０１は、基板２００の長手方向に沿って、一定の間隔を空けて並ぶように実装されている（図４参照）。また、複数個のＬＥＤ２０１は、基板２００に形成される導体（銅はく）を介して電気的に直列接続される。なお、基板２００に形成される導体は、基板２００に実装されるコネクタと、コネクタに電気的に接続される電線とを介して、電源装置の出力端子と電気的に接続される。
【００２０】
支持板２１は、板金に曲げ加工を施すことで箱状に形成される（図４参照）。すなわち、支持板２１は、長尺且つ矩形板状に形成された底板２１０と、底板２１０の短手方向（前後方向）における両端から長手方向に沿って上向きに立ち上がる一対の側板とを有する。ＬＥＤモジュール２０は、底板２１０の下面に取り付けられる（図４参照）。
【００２１】
電源装置は、常用電源（例えば、商用の交流電源）から供給される交流電力を直流電力に変換し、変換した直流電力をＬＥＤモジュール２０に供給することでＬＥＤモジュール２０を点灯するように構成されている。電源装置は、支持板２１の底板２１０の上面に取り付けられる。ＬＥＤモジュール２０と電源装置は、底板２１０に設けられた挿通孔に挿通される電線によって電気的に接続される。
【００２２】
ケース２２は、ケース本体２２０と、２つのエンド部材２２１と、２つのガスケット（固定用シール）２２２とを有する（図２及び図４参照）。ケース本体２２０は、合成樹脂材料によって長手方向の両端が開口した長尺の筒状に形成されており、その内部にＬＥＤモジュール２０及び支持板２１を収容するように構成されている（図４参照）。なお、支持板２１は、２つの固定具２３によってケース本体２２０に固定される。
【００２３】
エンド部材２２１は、図２及び図４に示すように、第１底壁２２１０、第２底壁２２１１、外周壁２２１２、内周壁２２１３並びにカバー部２２１４を有する。第１底壁２２１０は、ケース本体２２０の前後方向及び上下方向に平行な断面の形状と同じ形状に形成されている。第２底壁２２１１は、おおよそ半円板形状に形成されている。外周壁２２１２は、第１底壁２２１０の周縁から全周に渡って突出する筒状に形成される。内周壁２２１３は、外周壁２２１２に対向して第１底壁２２１０から突出する筒状に形成される。カバー部２２１４は、第２底壁２２１１の周縁の弧状の部分から第２底壁２２１１の厚み方向に突出し、かつ、その表面を外周壁２２１２の表面と同一の曲面（略半円筒面）とする形状に形成されている（図２参照）。また、カバー部２２１４の下面中央には、円筒形の凹部２２１５が設けられている（図２参照）。さらに、凹部２２１５の底壁には、円形の孔２２１６が形成されている（図４参照）。
【００２４】
ガスケット２２２は、シリコーン樹脂などの弾性を有する材料により、エンド部材２２１の外周壁２２１２及び内周壁２２１３に相似した形状（筒状）に形成されている。そして、ガスケット２２２は、エンド部材２２１の第１底壁２２１０と外周壁２２１２と内周壁２２１３に囲まれた空間に圧入される。さらに、ガスケット２２２は、外周壁２２１２及び内周壁２２１３の先端から露出する面に全周に渡る溝２２２０が設けられている。そして、この溝２２２０にケース本体２２０の長手方向における端部が圧入される（図４参照）。つまり、エンド部材２２１とケース本体２２０がガスケット２２２によって密封され、ケース本体２２０内への水（雨水など）の浸入が抑制される。
【００２５】
固定具２３は、固定片２３０と、一対の取付片２３１と、一対の側壁２３２とを有する（図４参照）。ただし、２つの固定具２３は全て同一の構造である。固定片２３０は、矩形平板状に形成されている。一対の取付片２３１は、矩形平板状であって、固定片２３０の前端及び後端から下向きに突出するように設けられる。一対の側壁２３２は、矩形平板状であって、固定片２３０の左端及び右端から下向きに突出するように設けられる。１つの固定具２３は支持板２１の上面における左端に取り付けられる。もう１つの固定具２３は支持板２１の上面における右端に取り付けられる。各固定具２３は、ケース本体２２０内に収容された状態において、固定片２３０とケース本体２２０とがねじ止めされることで支持板２１をケース本体２２０に固定している。
【００２６】
取付具２４は、図４に示すように、第１固定部２４０と、第２固定部２４１と、第１固定部２４０と第２固定部２４１を連結する連結部２４２とを有している。第１固定部２４０、第２固定部２４１及び連結部２４２は、金属板が加工されることで一体に形成されている。ただし、２つの取付具２４は全て同一の構造である。第２固定部２４１は、前後方向のほぼ中央に長孔状のねじ挿通孔２４３を有している（図４参照）。取付具２４の第１固定部２４０は、ケース２２の外から固定具２３の固定片２３０にねじ止めされる。
【００２７】
（２．３）非常用照明装置
次に、本実施形態の非常用照明装置３について、図５〜図８を参照して詳細に説明する。なお、以下の説明では、特に断りのない限り、図６に示す向きにおいて、非常用照明装置３の上下、左右及び前後の各方向を規定する。
【００２８】
非常用照明装置３は、図５及び図６に示すように、非常用光源ユニット４と、非常用光源ユニット４を支持する支持部材７と、非常用光源ユニット４を点灯する制御装置６と、非常用光源ユニット４、支持部材７及び制御装置６を収容する筐体５とを備えている。非常用照明装置３は、更に、第１ガスケット５３、第２ガスケット５４及び第３ガスケット５５を備えている。非常用照明装置３は、器具本体１０に支持されており、非常用照明を行う。
【００２９】
非常用光源ユニット４は、図７及び図８に示すように、ＬＥＤモジュール４０（非常用光源）と、ホルダ４１と、一対の端子板４２と、放熱シート４３と、レンズ４４とを有している。ＬＥＤモジュール４０は、矩形平板状の実装基板４００の中央に少なくとも１個のＬＥＤチップが実装されて構成されている。ＬＥＤチップは、例えば、青色光を放射する青色発光ダイオードであることが好ましい。また、ＬＥＤチップを含む実装基板４００の実装面（下面）は、ＬＥＤチップから放射される青色光を波長変換する蛍光物質が混入された封止樹脂４０１で封止されている（図８参照）。さらに、実装基板４００は、その対角の位置にある一対の角部の下面にそれぞれ電極を有している。一方の電極は、ＬＥＤチップのカソードと電気的に接続され、他方の電極は、ＬＥＤチップのアノードと電気的に接続されている。さらに、これら２つの電極は、一対の端子板４２のうちの対応する端子板４２と電気的に接続されている。
【００３０】
レンズ４４は、例えば、ガラス製であって、レンズ本体４４０と、レンズ本体４４０の周縁から外向きに突出する環状の外鍔部４４１とを有している（図８参照）。レンズ４４は、非球面形状の入射面４４２及び出射面４４３を有し（図７参照）、いわゆるバットウイング（batwing）状の配光特性を実現する広角配光レンズであることが好ましい。ただし、レンズ４４は、ガラス繊維が混入されることで耐熱性（難燃性）が向上された合成樹脂材料（例えば、ポリカーボネート樹脂など）で形成されてもよい。
【００３１】
放熱シート４３は、高熱伝導率、電気絶縁性及び難燃性を有するシリコーン樹脂製のシート材で構成されることが好ましい。放熱シート４３は、ＬＥＤモジュール４０の実装基板４００の上面に接触している（図７参照）。
【００３２】
ホルダ４１は、ポリカーボネート樹脂などの合成樹脂材料により、上下方向から見て、おおよそ菱形に形成されることが好ましい（図８参照）。ホルダ４１は、ＬＥＤモジュール４０の発光面（下面）にレンズ４４のレンズ本体４４０を重ねるようにして、ＬＥＤモジュール４０とレンズ４４を保持している。また、ホルダ４１は、端子板保持部４１０を有している。端子板保持部４１０は、上向きに伸びた角筒状に形成されており、一対の端子板４２を内部に収容して保持している（図７及び図８参照）。
【００３３】
制御装置６は、図８に示すように、第１回路ブロック６０、第２回路ブロック６１及びケース６２を備えている。第１回路ブロック６０は、矩形板状の第１プリント配線板６００、複数種類の電子部品６０１、受け側コネクタ６４、入力端子台６０３、出力コネクタ６０２及び第１コネクタ６０４を有している。複数種類の電子部品６０１のうちでリード付きの電子部品６０１が第１プリント配線板６００の下面（部品面）に挿入実装されている。また、複数種類の電子部品６０１のうちで表面実装型の電子部品６０１が第１プリント配線板６００の上面（はんだ面）に表面実装されている（図７参照）。ただし、第１プリント配線板６００の部品面には、受け側コネクタ６４、入力端子台６０３、出力コネクタ６０２及び第１コネクタ６０４も挿入実装されている。
【００３４】
出力コネクタ６０２は、一対のコンタクト６０２０を有している（図８参照）。出力コネクタ６０２の各コンタクト６０２０は、非常用光源ユニット４の一対の端子板４２のうちの対応する端子板４２と、中継用の電線を介して電気的に接続される。
【００３５】
受け側コネクタ６４は、第１コンタクト受け６４１と、第２コンタクト受け６４２と、ベース６４０とを有している（図８参照）。ベース６４０は、電気絶縁性を有した合成樹脂材料によって矩形の板状に形成されている。第１コンタクト受け６４１及び第２コンタクト受け６４２は棒状に形成されて、ベース６４０を厚み方向に貫通した状態でベース６４０に支持されている。受け側コネクタ６４は、中継用の電気ケーブルを介して、非常用電源ユニット９の電気ケーブルと電気的に接続される。
【００３６】
第１回路ブロック６０は、第１プリント配線板６００に形成されているプリント配線と、第１プリント配線板６００の部品面及びはんだ面に実装されている複数種類の電子部品６０１とで構成されたプリント回路を有している（図７及び図８参照）。第１回路ブロック６０のプリント回路は、例えば、直流電源回路、充電回路、点灯回路、停電検出回路、制御回路を含んでいる。直流電源回路は、例えば、リンギングチョークコンバータなどの自励型のスイッチング電源回路で構成され、常用電源から入力端子台６０３に入力される交流電圧を直流電圧に変換するように構成されている。充電回路は、常用電源から給電されているときに受け側コネクタ６４を通して一定の充電電流を非常用電源ユニット９へ出力するように構成されている。点灯回路は、非常用電源ユニット９から受け側コネクタ６４に入力される直流電流を定電流化し、定電流化した直流電流を出力コネクタ６０２より非常用光源ユニット４に供給するように構成されている。停電検出回路は、直流電源回路の出力電圧に基づいて常用電源の停電を検出して制御回路に通知するように構成されている。制御回路は、停電検出回路が常用電源の停電を検出していないときに充電回路を動作させ、かつ、点灯回路を停止させるように構成されている。また、制御回路は、停電検出回路が常用電源の停電を検出しているときに充電回路を停止させ、かつ、点灯回路を動作させるように構成されている。
【００３７】
第２回路ブロック６１は、矩形板状の第２プリント配線板６１０、２つの押釦スイッチ６１１、６１２、表示素子６１３、受光素子６１４並びに第２コネクタ６１５を有している（図８参照）。第２コネクタ６１５は、第２プリント配線板６１０の下面における長手方向の一端（前端）に実装されている。一方の押釦スイッチ６１２は、第２プリント配線板６１０の下面における第２コネクタ６１５の後方に実装されている。他方の押釦スイッチ６１１は、第２プリント配線板６１０の下面における長手方向の他端（後端）に実装されている。表示素子６１３は、例えば、緑色光を放射するＬＥＤチップを有している。表示素子６１３は、第２プリント配線板６１０の下面における押釦スイッチ６１１の前方に実装されている。受光素子６１４は、赤外線を通信媒体とする制御信号を受信し、受信した制御信号から送信フレームを復調するように構成されている。この制御信号は、定期点検の作業を行う作業者に操作されるリモートコントローラから送信される。受光素子６１４は、第２プリント配線板６１０の下面における表示素子６１３と押釦スイッチ６１２の間に実装されている。第２コネクタ６１５は、例えば、ケーブルによって第１回路ブロック６０の第１コネクタ６０４と電気的に接続される。第１回路ブロック６０の制御回路は、ケーブルを通して各押釦スイッチ６１１、６１２の操作状態（オン及びオフ）を監視するように構成されている。また、制御回路は、受光素子６１４で復調される制御信号の送信フレームをケーブルを通して受け取るように構成されている。さらに、制御回路は、第１回路ブロック６０の充電回路が動作している場合、ケーブルを通して表示素子６１３に電流を流すことで表示素子６１３を発光させるように構成されている。
【００３８】
なお、制御回路は、後方の押釦スイッチ６１１がオンされた場合、及び受光素子６１４から送信フレームを受け取った場合に自己点検動作を行うように構成されている。自己点検動作を行う制御回路は、充電回路を停止させ、かつ、点灯回路を動作させる。さらに、制御回路は、前方の押釦スイッチ６１２がオンされた場合、確認動作を行うように構成されている。確認動作を行う制御回路は、充電回路を停止するとともに点灯回路を数秒間動作させた後、再度、点灯回路を停止させ、かつ、充電回路を動作させる。ただし、制御回路は、確認動作を行うように指示する送信フレームを受光素子６１４から受け取った場合も確認動作を行うように構成されることが好ましい。
【００３９】
ケース６２は、第１ケース６２０と第２ケース６２１を有している。第１ケース６２０は、底部６２００と、側壁部６２０１とを有している。底部６２００は、おおよそ矩形の箱形に形成されている。底部６２００は、第１回路ブロック６０の第１プリント配線板６００のはんだ面を厚み方向（上下方向）から支持するように構成されている。側壁部６２０１は、板状に形成されている。側壁部６２０１は、ヒンジを介して底部６２００に連結されている。ゆえに、側壁部６２０１は、ヒンジを軸にして底部６２００に対して回転可能となるように構成されている。また、側壁部６２０１は、第２回路ブロック６１の第２プリント配線板６１０の長手方向に沿った端部（左端部）を厚み方向から挟んで支持するように構成されている。
【００４０】
第２ケース６２１は、上面及び左側面が開放された箱状に形成されている。第２ケース６２１は、第１ケース６２０と結合される。第２ケース６２１の上面は、第１ケース６２０の底部６２００によって閉じられる。また、第２ケース６２１の左側面は、第１ケース６２０の側壁部６２０１によって閉じられる（図７参照）。
【００４１】
第２ケース６２１は、下面の左端から下方へ突出する突台部６２１０を有している（図８参照）。突台部６２１０は、おおよそ角錐台状に形成されている。突台部６２１０は、２つの操作部材（第１操作部材６２１４及び第２操作部材６２１５）を有している。第１操作部材６２１４は、突台部６２１０の下面における後端に設けられている。また、第２操作部材６２１５は、突台部６２１０の下面における前端に設けられている。第１操作部材６２１４及び第２操作部材６２１５は、突台部６２１０の下面に対して上下方向に移動可能となるように構成されている。つまり、上向きに押された第１操作部材６２１４が押釦スイッチ６１１の押釦を押すことにより、押釦スイッチ６１１がオンする。また、上向きに押された第２操作部材６２１５が押釦スイッチ６１２の押釦を押すことにより、押釦スイッチ６１２がオンする。さらに、突台部６２１０は、その下面における第１操作部材６２１４と第２操作部材６２１５の間に、２つの円形の窓６２１６、６２１７を有している。前方の窓６２１６は、上下方向において第２回路ブロック６１の受光素子６１４と対向している。後方の窓６２１７は、上下方向において第２回路ブロック６１の表示素子６１３と対向している。つまり、リモートコントローラから送信される制御信号は、前方の窓６２１６を通して受光素子６１４に到達する。また、表示素子６１３が発する光（緑色光）は、後方の窓６２１７を通してケース６２の外に放射される。
【００４２】
また、第２ケース６２１は、右端に３つの開口部６２１１、６２１２、６２１３を有している。これら３つの開口部６２１１、６２１２、６２１３は、前後方向に沿って一列に並んでいる（図８参照）。前端の開口部６２１１は、第１回路ブロック６０の受け側コネクタ６４と対向している。後端の開口部６２１３は、入力端子台６０３が挿通される。中央の開口部６２１２は、出力コネクタ６０２と対向している（図８参照）。
【００４３】
支持部材７は、アルミニウム及びアルミニウム合金のように一般的に熱伝導率が高いとされる材料によって、おおよそ矩形平板状に形成されている（図８参照）。ただし、支持部材７は、アルミニウム及びアルミニウム合金以外の材料で形成されても構わない。支持部材７の左端に挿通孔７０が貫通している。挿通孔７０は、前後方向を長手方向とする長円形に形成されている。また、支持部材７の右端における前後方向の中央に、矩形の挿通溝７１が設けられている。さらに、３つの嵌合溝７２が、支持部材７の前端と支持部材７の後端に設けられている。支持部材７の後端の嵌合溝７２は、支持部材７の左右方向のほぼ中央に設けられている。一方、支持部材７の前端の２つの嵌合溝７２は、支持部材７の左右方向の中央に対して左右両側に離して設けられている。支持部材７の中央には、３つの嵌合孔７３が貫通している。支持部材７の前端の中央付近と、支持部材７の右端の後端付近とに、それぞれねじ孔７４が１つずつ設けられている。支持部材７の前後方向の中央における挿通孔７０の右側の位置と、支持部材７の右端における前後両端の位置とに、それぞれねじ挿通孔７５が１つずつ設けられている。
【００４４】
非常用光源ユニット４は、支持部材７に設けられている２つのねじ孔７４に対して、２本の取付ねじ４５でホルダ４１がねじ止めされることによって支持部材７の下面に取り付けられている（図５及び図８参照）。ホルダ４１の端子板保持部４１０は、支持部材７の挿通溝７１に挿通されて支持部材７の上面側に突出する（図６参照）。そして、一対の端子板４２のうちの対応する端子板４２と、出力コネクタ６０２の一対のコンタクト６０２０のうちの対応するコンタクト６０２０とが中継用の電線を介して電気的に接続される。さらに、ＬＥＤモジュール４０は、放熱シート４３を介して支持部材７と熱的に結合される。
【００４５】
筐体５は、図６に示すように、第１筐体５１と第２筐体５２を有している。第１筐体５１及び第２筐体５２は、それぞれアルミダイカストで形成されている。
【００４６】
第１筐体５１は、半円筒面形状の外周壁５１０と、半円形状の第１外壁５１１と、半円形状の第２外壁５１２とを有する半円筒形状に形成されている（図５及び図６参照）。また、第１筐体５１は、一対の第１内壁５１３と、一対の第２内壁５１４とを有している（図６参照）。一対の第２内壁５１４のうちの左側の第２内壁５１４は、第１外壁５１１と対向して、外周壁５１０の内側面（上面）から上向きに立ち上がるように形成されている。一対の第２内壁５１４のうちの右側の第２内壁５１４は、第２外壁５１２の上面から上向きに立ち上がるように形成されている。一対の第１内壁５１３は、前後方向に対向して、外周壁５１０の内側面から上向きに立ち上がるように形成されている。一対の第１内壁５１３のうちで前方に位置する第１内壁５１３は、一対の第２内壁５１４の前端及び第２外壁５１２の内側面とそれぞれ繋がっている。また、一対の第１内壁５１３のうちで後方に位置する第１内壁５１３は、一対の第２内壁５１４の後端及び第２外壁５１２の内側面とそれぞれ繋がっている。
【００４７】
外周壁５１０の下面における前後方向の中央かつ右寄りの位置に、凹部５００が形成されている。凹部５００は、下から見て、長軸方向を外周壁５１０の軸方向（左右方向）に一致させた楕円形状に形成されている（図５参照）。そのため、凹部５００の長軸方向（左右方向）の両端が、その短軸方向（前後方向）の両端よりも下に位置している。さらに、凹部５００の中央（底）に、レンズ４４のレンズ本体４４０が挿通される窓５０１が貫通している。窓５０１は、下から見て、長軸方向を凹部５００の短軸方向（前後方向）に一致させた楕円形状に形成されている（図５参照）。なお、外周壁５１０の下面における窓５０１の周囲に、４つの円柱状の突起５０５が設けられている（図６では１つのみ図示）。また、外周壁５１０における凹部５００の左隣の位置に、２つの孔が前後方向に並ぶように貫通している。後方の孔は、丸孔の第１操作孔５０２と、第１操作孔５０２に繋がった長孔の表示孔５０３とを有している。前方の孔（以下、第２操作孔５０４と呼ぶ）は、第１操作孔５０２よりも径の小さい丸孔である。また、第１筐体５１は、窓５０１を囲むように外周壁５１０の上面から突出する３つの第１ボス５１５を有している（図６では２つのみ図示）。これら３つの第１ボス５１５は、それぞれ円錐台形状に形成されており、上端が開放されたねじ穴（めねじ）を有している。さらに、第１筐体５１は、第１操作孔５０２、表示孔５０３及び第２操作孔５０４を囲むように外周壁５１０の上面から突出する筒状の突壁５１８を有している（図６参照）。
【００４８】
また、第１筐体５１は、４つのリブ５１７、１つの第２ボス５１６及び一対の突起５１９を有している。４つのリブ５１７は、各第１内壁５１３に沿って外周壁５１０の内側面から上向きに立ち上がる、矩形の板状に形成されている（図６参照）。第２ボス５１６は、上端が開放されたねじ穴（めねじ）を有する円錐台形状に形成されている。また、第２ボス５１６は、第１外壁５１１と左側の第２内壁５１４の間における外周壁５１０の内側面から上向きに立ち上がるように形成されている。一対の突起５１９は、第２外壁５１２の内側（左側）における前後両端において、上向きに突出する円錐台形状に形成されている（図６参照）。
【００４９】
第２筐体５２は、図５及び図６に示すようにおおよそ矩形の箱状に形成されている。第２筐体５２は、底壁５２０、一対の第１側壁５２１及び一対の第２側壁５２２を有している。底壁５２０は、矩形平板状に形成されている。一対の第１側壁５２１は、底壁５２０の長手方向に沿った両端（前端及び後端）から下向きに突出している。一対の第２側壁５２２は、底壁５２０の短手方向に沿った両端（左端及び右端）から下向きに突出している。
【００５０】
底壁５２０の下面における中央から、円筒形状の突部５２００が下向きに突出している（図４及び図５参照）。突部５２００の内部には円筒形状の孔５２０１が設けられている。この孔５２０１は、筐体５の内部と筐体５の外部とを繋ぐように、底壁５２０及び突部５２００を上下方向に貫通している（図４参照）。ただし、この孔５２０１は、例えば、一般に穴付きゴム栓と呼ばれる部材（以下、ゴム栓５７という）で閉塞される（図４参照）。ゴム栓５７は、シリコーンゴムのような弾性材料によって円柱状に形成されている。また、ゴム栓５７は、その途中に少なくとも１つの壁を有する３つの穴５７０を備えている（図６参照）。つまり、ゴム栓５７の各穴５７０は、針などで壁が突き破られることによって、筐体５の内部と筐体５の外部とを繋ぐように構成されている。
【００５１】
また、底壁５２０は、３つのボス５２０２と、４つのリブ５２０４とを有している。３つのボス５２０２は、底壁５２０の内側面（下面）から下向きに突出する円柱形状に形成されている（図５参照）。各ボス５２０２は、底壁５２０の上面に開口するねじ孔５２０３を有している（図４及び図６参照）。４つのリブ５２０４のうちの２つのリブ５２０４は、底壁５２０の下面から前側の第１側壁５２１に沿って下向きに突出する角柱状に形成されている（図５参照）。４つのリブ５２０４のうちの残り２つのリブ５２０４は、底壁５２０の下面から後側の第１側壁５２１に沿って下向きに突出する角柱状に形成されている。
【００５２】
一対の第２側壁５２２のうちの左側の第２側壁５２２は、その外側面（左側面）における前後方向中央の下端から左向きに突出する突部５２２０を有している（図４及び図５参照）。突部５２２０は、上下方向に貫通する穴５２２１を有している（図４参照）。
【００５３】
また、第２筐体５２は、固定部５２３と突台部５２４を有している。固定部５２３は、一対の第２側壁５２２のうちの右側の第２側壁５２２の下端から右向きに突出する矩形の板状に形成されている（図５参照）。固定部５２３の前後方向の中央に、円筒形の穴５２３０が上下方向に貫通している（図４及び図５参照）。また、固定部５２３の下面における穴５２３０の前後両側に、おおよそ波形の凹み５２３１がそれぞれ設けられている。突台部５２４は、固定部５２３の先端（右端）から右向きに突出する矩形の箱状に形成されている（図５参照）。突台部５２４の先端（右端）における前後方向の両端に、それぞれ円筒形のボス５２４０が設けられている。各ボス５２４０は、上面が開口したねじ孔５２４１を有している（図６参照）。
【００５４】
第１ガスケット５３は、図５及び図６に示すように、シリコーンゴムなどの弾性材料により、全体として矩形の枠状に形成されている。第１ガスケット５３は、枠部５３０、固定部５３１、一対の電線保持部５３２及び支持部５３３を有している。枠部５３０は、４つの角が面取りされた矩形の枠状に形成されている。枠部５３０の下面に、その全周に渡って上向きに凹んだ凹所５３００が設けられている。固定部５３１は、枠部５３０の長手方向の一端（右端）における内側面から内向き（左向き）に突出する矩形の板状に形成されている。固定部５３１の長手方向（前後方向）の中央から内向き（左向き）に、半円形状の突部５３１０が突出している。そして、突部５３１０を含む固定部５３１の長手方向の中央部分に、円筒形のねじ挿通孔５３１１が上下方向に貫通している。さらに、固定部５３１の下面におけるねじ挿通孔５３１１の前後両側に、円筒形の嵌合孔５３１２がそれぞれ設けられている。支持部５３３は、枠部５３０の右端の部分（上下方向から見て固定部５３１と重なる部分）を除いて、枠部５３０の下面における凹所５３００の内側の縁から下向きに突出している。一対の電線保持部５３２は、固定部５３１の上面におけるねじ挿通孔５３１１の前後両側から上向きに突出している。各電線保持部５３２は、底面の形状がおおよそ波形である柱状に形成されている。
【００５５】
第２ガスケット５４は、シリコーンゴムなどの弾性材料により、中央に楕円形状の開口部５４０を有する枠状に形成されている（図５参照）。ただし、第２ガスケット５４は、光を透過しないように黒色に着色されることが好ましい。また、第２ガスケット５４の上面における開口部５４０の縁から、環状の周壁５４１が全周に渡って上向きに突出している（図６参照）。さらに、周壁５４１の上面には、上下方向に平行な断面の形状が三角形状である２つのリブが、径方向に沿って並ぶにように突出している。また、第２ガスケット５４は、４つの嵌合孔５４２と、２つの引掛片５４３とを有している。４つの嵌合孔５４２は、開口部５４０を囲むように配置されて第２ガスケット５４を厚み方向（上下方向）に貫通している。また、２つの引掛片５４３は、鉤形に形成されており、かつ、第２ガスケット５４の右後端及び左前端から上向きに突出している。
【００５６】
第３ガスケット５５は、シリコーンゴムのように光を透過する弾性材料で形成されている。
【００５７】
非常用照明装置３は、更に、固定部材５６を備えている（図５及び図６参照）。固定部材５６は、ステンレス鋼板のように錆びにくい金属板で形成されている。固定部材５６は、前後方向を長手方向とする５角形状の固定片５６０と、固定片５６０の長手方向の両端の各辺から上向きに突出する一対の脚片５６１と、各脚片５６１の上端から固定片５６０と対向するように突出する一対の取付片５６２とを有している。固定片５６０のほぼ中央に、ナットを保持するための固定孔５６３が設けられている。各取付片５６２の一端（右端）に、それぞれねじ挿通孔５６４が貫通している（図６参照）。
【００５８】
（２．４）非常用電源ユニット
非常用電源ユニット９は、非常用照明装置３に給電するように構成されている。非常用電源ユニット９は、図２及び図３に示すように、非常用照明装置３に給電する電池ユニット９Ａ（図１３参照）と、電池ユニット９Ａを器具本体１０に固定する固定金具９１と、電池ユニット９Ａから引き出される電気ケーブル９２（図１４参照）とを備える。
【００５９】
（２．５）電池ユニット
電池ユニット９Ａは、図１３〜図１５、図１６Ａ及び図１６Ｂに示すように、乾電池型の複数本の蓄電池９Ｂ（蓄電池ブロック）と、複数本の蓄電池９Ｂを収容する電池ケース９０とを有する。
【００６０】
電池ケース９０は、軸方向に垂直な断面の形状が長円形である筒状に形成されている。電池ケース９０は、複数本の蓄電池９Ｂを収容する本体部９３と、本体部９３と嵌合する蓋部９４と、防水パッキン９５と、パッキン９６と、フィルタ部材９７と、複数（図１４では４個）の端子板９８とを備える。
【００６１】
本体部９３は、合成樹脂材料により直方体状に形成されており、図１８Ａ〜図１８Ｃに示すように、板状の底面部９３１と、底面部９３１の周囲に設けられた筒状の側面部９３２とを一体に有する。本体部９３は、開口部９３Ａを有しており、複数の蓄電池９Ｂ（図１４参照）を収容する。底面部９３１は、楕円状に形成されている。底面部９３１は、環状の凹部９３Ｂと、凹部９３Ｂの内側に形成された円状の凹部９３Ｃとを有する。凹部９３Ｃの底面には、本体部９３の内側と外側とを貫通させる貫通孔９３Ｄが形成されている。本体部９３の長手方向における凹部９３Ｂは、本体部９３の長手方向における凹部９３Ｃよりも深い。
【００６２】
本体部９３の内部には、複数本の蓄電池９Ｂが本体部９３内で移動しないように、本体部９３の長手方向に沿って複数（図１８Ｃの例では４個）のリブ９３３が設けられている。さらに、本体部９３の内部には、蓄電池９Ｂが収容されない位置に蓄電池９Ｂが移動しないように複数（図１８Ｃの例では２個）のリブ９３４が設けられている。また、本体部９３の内部には、電源ケーブルの通路を確保するために上記通路と蓄電池９Ｂの配置場所とを区切るための複数（図１８Ｃの例では２個）のリブ９３５が設けられている。
【００６３】
本体部９３の側面部９３２には、開口部９３Ａの近くに設けられた一対の第１突起９３６と、開口部９３Ａの近くに設けられた一対の第２突起９３７とが設けられている。一対の第１突起９３６は、本体部９３の側面部９３２における互いに対向する一対の平面部分から突出して設けられている。一対の第１突起９３６は、蓋部９４（図１３参照）と嵌合する。一対の第２突起９３７は、側面部９３２における一対の平面部分のうちの一方から突出して設けられている。一対の第２突起９３７は、本体部９３の短手方向において、第１突起９３６を挟んで配置されている。つまり、一対の第２突起９３７は、第１突起９３６の両隣に設けられている。第２突起９３７は、器具本体１０の凹部１５（図１１参照）に収容されており、電池ケース９０と固定金具９１との相対移動を規制する。
【００６４】
蓋部９４は、合成樹脂材料により形成されており、図１９Ａ〜図１９Ｃに示すように、楕円状の前面部９４１と、前面部９４１の外周に設けられた筒状の側面部９４２と、側面部９４２のうちの互いに対向する部分に設けられた一対の延設部９４３とを一体に有する。また、蓋部９４は、前面部９４１の裏面から突出して設けられた環状の突出部９４４を更に有する。突出部９４４は、突出部９４４と側面部９４２との間の間隔が略一定になるように形成されている。また、前後方向における突出部９４４の高さは、全周にわたって側面部９４２の高さよりも高い。さらに、前面部９４１は、表面と裏面とを貫通する貫通孔９４５を有する。一対の延設部９４３の各々は、楕円状の孔９４６を有する。蓋部９４は、本体部９３の開口部９３Ａ（図１８Ａ参照）を塞ぐように本体部９３に嵌合する。
【００６５】
蓋部９４が本体部９３と嵌合した場合、蓋部９４の一部は、本体部９３の一対の第１突起９３６及び一対の第２突起９３７とともに、本体部９３の側面部９３２よりも突出する。すなわち、電池ケース９０は、電池ケース９０において、周囲よりも突出する突出部位を有する。
【００６６】
防水パッキン９５は、図２０Ａ〜図２０Ｄに示すように、弾性材料により形成されている。防水パッキン９５は、例えばシリコーン樹脂により形成されており、ガス透過性及び防水性を有する。言い換えると、防水パッキン９５は、水素分子を通すが、水分子を通さない。防水パッキン９５は、左方から見たときに長円状に形成されており、長円状の中央部９５１と、中央部９５１の周囲に設けられた環状の周部９５２と、中央部９５１と周部９５２との間に設けられた接続部９５３とを一体に有する。接続部９５３は、中央部９５１と周部９５２との間に凹部が形成されるように、中央部９５１と周部９５２とを接続する。
【００６７】
また、防水パッキン９５は、中央部９５１の左面の後側から左向きに突出する錐台状の突出部９５４を更に有する。突出部９５４は、長円状の底面を有する錐台である。突出部９５４は、電気ケーブル９２を通す２つの貫通孔９５５を有する。
【００６８】
さらに、防水パッキン９５は、周部９５２の外周面から外側に突出する２つの突条部９５６を更に有する。また、防水パッキン９５は、周部９５２のうち上下方向に対向する一対の平面部分から右向きに延びて設けられた一対の矩形片９５７を更に有する。
【００６９】
防水パッキン９５は、本体部９３（図１４参照）の第１端側に設けられている。防水パッキン９５は、蓋部９４が本体部９３と嵌合しているときに本体部９３と蓋部９４とに挟持されている。また、防水パッキン９５は、本体部９３と蓋部９４とに挟持されているときに、本体部９３に収容されている蓄電池９Ｂ側に凹部９５８を有する。この凹部９５８は、貫通孔９５５を通る電気ケーブル９２の配線スペースとなる。
【００７０】
パッキン９６は、弾性材料により形成されており、図２１Ａ〜図２１Ｃに示すように、本体部９３に収容されている複数本の蓄電池９Ｂと防水パッキン９５との間に設けられている。パッキン９６は、板状の基部９６１と、基部９６１の周囲に設けられた２つの側面部９６２とを一体に有する。パッキン９６は、基部９６１の厚み方向が本体部９３と蓋部９４との嵌合方向となるように設けられている。基部９６１は、長円状に形成されている。基部９６１の長軸方向の両端には、長軸方向に沿って窪んでいる２つの凹部９６３が形成されている。このような形状のパッキン９６は、本体部９３と蓋部９４とが嵌合した状態において、蓄電池９Ｂの移動を規制する。
【００７１】
フィルタ部材９７は、図１６Ｂに示すように、フィルタ９７１と、フィルタ９７１を押さえるための押さえ部材９７２とを有する。
【００７２】
フィルタ９７１は、本体部９３の右端（第２端）側に設けられている。フィルタ９７１は、円板状に形成されている。より詳細には、フィルタ９７１は、凹部９３Ｃと同程度の大きさに形成されている。
【００７３】
フィルタ９７１は、ガス透過性及び防水性を有する。言い換えると、フィルタ９７１は、水素分子を通すが、水分子を通さない。例えば、フィルタ９７１として、ポリテトラフルオロエチレン樹脂の多孔質膜が用いられる。つまり、フィルタ９７１として、防水透湿性素材が用いられる。
【００７４】
押さえ部材９７２は、合成樹脂材料により形成されており、筒部９７３と、筒部９７３の一端から内側に突出する鍔部９７４とを一体に有する。フィルタ部材９７は、フィルタ９７１が本体部９３の貫通孔９３Ｄを塞ぐように、凹部９３Ｂ及び凹部９３Ｃに取り付けられている。このとき、押さえ部材９７２の筒部９７３が本体部９３の凹部９３Ｂに挿入されており、押さえ部材９７２の鍔部９７４と本体部９３の貫通孔９３Ｄの周囲部分とがフィルタ９７１を挟む。これにより、フィルタ９７１が本体部９３に固定される。
【００７５】
複数の端子板９８の各々は、図１４及び図１５に示すように、２本の蓄電池９Ｂを電気的に接続するための部材である。各端子板９８は、矩形板状の導電部材を折り曲げることによって、断面の形状がＵ字状となるように形成されている。各端子板９８は、本体部９３内において、２本の蓄電池９Ｂの電極に接触するように配置されている。
【００７６】
上記のような構造の電池ユニット９Ａでは、蓋部９４の一部及び本体部９３の第１突起９３６が電池ユニット９Ａの周囲よりも突出している。すなわち、蓋部９４の一部及び本体部９３の第１突起９３６が、電池ユニット９Ａの周囲よりも突出する突出部位を有する。器具本体１０の凹部１５には、図１１及び図１２に示すように、電池ユニット９Ａの突出部位が収容されている。器具本体１０の長手方向において、器具本体１０における凹部１５の周囲には、電池ユニット９Ａの突出部位の周囲が接触する。同様に、器具本体１０の短手方向においても、器具本体１０の凹部１５の周囲には、電池ユニット９Ａの突出部位の周囲が接触する。
【００７７】
各蓄電池９Ｂは、例えば、乾電池型のニッケル水素電池である。複数本の蓄電池９Ｂは、図１４及び図１５に示すように、その軸方向を電池ケース９０の軸方向に揃えるようにして電池ケース９０内に収容されている。また、複数の蓄電池９Ｂは、複数の端子板９８によって電気的に直列接続される。なお、蓄電池９Ｂの数は５本に限らず、２本〜４本であってもよいし、６本以上であってもよい。また、蓄電池９Ｂの数は１本であってもよい。要するに、電池ユニット９Ａは、少なくとも１本の蓄電池９Ｂを備えていればよい。
【００７８】
（２．６）電気ケーブル
電気ケーブル９２は、複数本の蓄電池９Ｂの直列回路の一端（正極）に電気的に接続された第１電線９２１と、複数本の蓄電池９Ｂの直列回路の他端（負極）に電気的に接続された第２電線９２２とを有する。また、電気ケーブル９２の先端には、コネクタが設けられている。
【００７９】
（２．７）固定金具
固定金具９１は、図１７に示すように、金属板によって箱状に形成されている。固定金具９１は、基部９１１と、第１取付部９１２と、第２取付部９１３と、一対の側面部９１４とを有する。固定金具９１は、電池ケース９０を包み込むように保持した状態で器具本体１０の天板１１の下面に固定される（図２及び図３参照）。つまり、固定金具９１は、器具本体１０との間に電池ユニット９Ａが配置された状態で、器具本体１０に取り付けられる。
【００８０】
基部９１１は、矩形板状に形成されており、固定金具９１が器具本体１０に取り付けられたときに、器具本体１０の天板１１と対向し、器具本体１０との間に電池ユニット９Ａが介在する。基部９１１には、長手方向の一端部に、開口部９１５が形成されている。より詳細には、開口部９１５は、下から見たときに凸状に形成されており、矩形状の第１開口９１５Ａと、第１開口９１５Ａよりも長手方向及び短手方向の長さが短い矩形状の第２開口９１５Ｂとを一体に有する。開口部９１５は、固定金具９１が電池ケース９０を保持する際に、蓋部９４の一部及び本体部９３の一部が収容されるように形成されている。すなわち、開口部９１５には、固定金具９１が電池ユニット９Ａを保持する際に、電池ユニット９Ａの一部が収容される。
【００８１】
第１取付部９１２は、側面部９１６と、引掛部９１７とを一体に有する。
【００８２】
側面部９１６は、基部９１１と引掛部９１７との間に設けられている。側面部９１６は、基部９１１の長手方向の第１端（左端）から上向き（長手方向と直交する向き）に延びて設けられている。側面部９１６は、電池ケース９０の防水パッキン９５の突出部９５４を固定金具９１の外側に露出させるための開口部９１６Ａを有する。また、側面部９１６は、箱状に形成された固定金具９１の内側に突出する２つの突起９１６Ｂを有する。開口部９１６Ａは、側面部９１６のうち基部９１１の短手方向の前側に形成されており、２つの突起９１６Ｂは、開口部９１６Ａよりも後ろ側に形成されている。２つの突起９１６Ｂは、前後方向に並んで形成されている。
【００８３】
引掛部９１７は、側面部９１６の先端（後端）から左向き（基部９１１の長手方向における外向き）に沿って延びて設けられている。引掛部９１７は、器具本体１０の天板１１に形成された開口部１６（図１１参照）に挿入ことによって、器具本体１０の天板１１に引っ掛けられる。第１取付部９１２は、一対の側面部９１４の端部には固定されていないので、基部９１１の長手方向（第１方向、左右方向）に撓み可能である。また、引掛部９１７は、基部９１１の短手方向（第２方向）において、側面部９１６よりも短く、かつ、器具本体１０の中央部分とは異なる領域において器具本体１０に引っ掛けられている（図１２参照）。
【００８４】
上記より、第１取付部９１２は、器具本体１０に固定金具９１が固定されているときに、基部９１１の長手方向（第１方向）における左端（一端）において、長手方向と直交する短手方向（第２方向）における前端に設けられている。そして、第１取付部９１２は、器具本体１０と固定金具９１との間に電池ユニット９Ａを挟んだ状態で器具本体１０に取り付けられている。
【００８５】
第２取付部９１３は、基部９１１の長手方向（左右方向、第１方向）において、第１取付部９１２が設けられている左端（第１端）とは反対側の右端（第２端）に設けられている。第２取付部９１３は、側面部９１８と、ねじ止め部９１９とを一体に有する。側面部９１８は、基部９１１の長手方向の右端（第２端）から上向き（長手方向と直交する向き）に延びて設けられている。側面部９１８は、矩形板状に形成されており、固定金具９１の長手方向において、側面部９１６と対向している。ねじ止め部９１９は、側面部９１８の先端から右向き（基部９１１の長手方向における外向き）に沿って延びて設けられている。ねじ止め部９１９は、ねじが挿入される挿入孔９１９Ａを有する。ねじ止め部９１９は、挿入孔９１９Ａにねじが挿入され、挿入孔９１９Ａに挿入されているねじが、器具本体１０の天板１１に形成された孔１７（図９参照）に挿入され、取付面にねじ止めされる。ねじ止め部９１９は、引掛部９１７と、基部９１１における対角の位置に設けられている。第２取付部９１３は、一対の側面部９１４の端部には固定されていないので、左右方向に撓み可能である。
【００８６】
一対の側面部９１４は、基部９１１の長手方向に沿った両端（前端及び後端）から上向き（長手方向と直交する向き）に延びて設けられている。一対の側面部９１４は、矩形板状に形成されており、固定金具９１の短手方向（前後方向）において、互いに対向している。各側面部９１４の基部９１１からの高さは、側面部９１６及び側面部９１８の基部９１１からの高さよりも低くなるように形成されている。これにより、固定金具９１のがたつきを低減させることができる。
【００８７】
このような構造の固定金具９１は、図１７に示すように、電池ユニット９Ａを収容したときに、蓋部９４の一部と、本体部９３の第１突起９３６及び一対の第２突起９３７とを開口部９１５に収容している。また、図１１及び図１２に示すように、固定金具９１の引掛部９１７が器具本体１０の開口部１６に挿入されて器具本体１０に引っ掛けられており、器具本体１０の凹部１５には、蓋部９４の一部と本体部９３の第１突起９３６とが収容されている。図示していないが、固定金具９１の第２取付部９１３のねじ止め部９１９は、ねじにより器具本体１０にねじ止めされる。これにより、固定金具９１は、電池ユニット９Ａを収容した状態で、器具本体１０に固定される。このとき、防水パッキン９５の突出部９５４は、固定金具９１の開口部９１６Ａから露出している。
【００８８】
また、図１０及び図１２に示すように、器具本体１０の短手方向の一方（前方）に、電池ユニット９Ａが寄せて配置されるように、固定金具９１は、器具本体１０と固定金具９１との間に電池ユニット９Ａが配置された状態で器具本体１０に固定されている。これにより、器具本体１０の短手方向において、電池ユニット９Ａが配置されている位置とは異なる位置（後方）に電源線の通路を確保することができる。
【００８９】
（３）照明器具の組立手順
次に、照明器具１の組立手順を説明する。ただし、器具本体１０に非常用電源ユニット９に取り付ける作業についての説明は省略する。また、以下に説明する組立手順（３．１）〜（３．３）は一例に過ぎず、いくつかの組立作業の順番が入れ替わっても構わない。
【００９０】
（３．１）器具本体への非常用照明装置の取付
作業者は、常用照明装置２を取り付ける前に非常用照明装置３を器具本体１０に取り付ける。まず、作業者は、非常用照明装置３の筐体５のうちの第２筐体５２を器具本体１０内に収容する。続いて、作業者は、天板１１に設けられている３つのねじ挿通孔１１０（図３参照）のそれぞれに、器具本体１０の天板１１の上面側からねじを挿通し、それぞれのねじを第２筐体５２の底壁５２０に設けられている３つのボス５２０２のねじ孔５２０３にねじ込む。つまり、非常用照明装置３は、３本のねじによって器具本体１０の天板１１にねじ止めされる。
【００９１】
（３．２）制御装置の結線
作業者は、第１ガスケット５３の前方の電線保持部５３２に保持されている２本の電線と、非常用電源ユニット９の電気ケーブルに設けられたコネクタとを結線する。ただし、第１ガスケット５３の後方の電線保持部５３２に保持されている２本の電源線は、照明器具１の施工時に常用電源の電源線と電気的に接続される。
【００９２】
（３．３）器具本体への常用照明装置の取付
作業者は、常用照明装置２の上部（２つの取付具２４の第２固定部２４１よりも上側の部分）を器具本体１０内に挿入する。そして、作業者は、右側のエンド部材２２１のカバー部２２１４の凹部２２１５にドライバの軸を挿入し、凹部２２１５の底壁に設けられている孔２２１６を通して、第２固定部２４１のねじ挿通孔２４３に挿通されている取付ねじを締め込む。作業者がドライバを使って取付ねじを締め込めば、取付ねじが、器具本体１０の右側の取付片１３０のねじ孔１３１にねじ込まれる。その結果、右側の取付具２４の第２固定部２４１が器具本体１０の右側の取付片１３０にねじ止めされる。続いて、作業者は、左側のエンド部材２２１のカバー部２２１４の凹部２２１５にドライバの軸を挿入し、凹部２２１５の底壁に設けられている孔２２１６を通して、第２固定部２４１のねじ挿通孔２４３に挿通されている取付ねじを締め込む。作業者がドライバを使って取付ねじを締め込めば、取付ねじが、固定部材５６の固定孔５６３に保持されているナットにねじ込まれる。その結果、左側の取付具２４の第２固定部２４１が固定部材５６の固定片５６０にねじ止めされる。最後に、作業者は、カバー部２２１４の表面に露出している凹部２２１５の口をテープなどで塞いで目隠しする。このようにして、常用照明装置２が器具本体１０に取り付けられることで照明器具の組立が完了する(図１参照)。
【００９３】
（４）電池ユニットの交換手順
次に、電池ユニット９Ａの交換手順を説明する。まず、固定金具９１のねじ止め部９１９からねじを外して、固定金具９１の引掛部９１７を器具本体１０から外す。次に、電池ユニット９Ａを取り出して、新しい電池ユニット９Ａに交換する。新しい電池ユニット９Ａを固定金具９１の内部に入れた状態で、固定金具９１の引掛部９１７を器具本体１０に引っ掛ける。そして、ねじ止め部９１９にねじを挿入して、固定金具９１をねじ止めする。
【００９４】
（５）まとめ
以上の説明から明らかなように、本発明の第１の態様に係る電池ユニット９Ａは、蓄電池９Ｂと、本体部９３と、蓋部９４と、防水パッキン９５とを備える。本体部９３は、開口部９３Ａを有し、蓄電池９Ｂを収容する。蓋部９４は、開口部９３Ａを覆うように本体部９３と嵌合する。防水パッキン９５は、本体部９３に蓋部９４が嵌合されているときに本体部９３と蓋部９４とに挟持されている。防水パッキン９５は、本体部９３に収容されている蓄電池９Ｂ側に形成された凹部９５８を有する。
【００９５】
第１の態様に係る電池ユニット９Ａでは、本体部９３と蓋部９４とに挟持されている防水パッキン９５に、本体部９３に収容されている蓄電池９Ｂ側に凹部９５８が形成されている。これにより、防水パッキン９５の凹部９５８を配線スペースとして用いることができるので、配線のために防水パッキン９５とは異なる部品を追加することがない。その結果、部品点数を減らすことができ、かつ、組立性を向上させることができる。
【００９６】
本発明の第２の態様に係る電池ユニット９Ａは、第１の態様において、板状のパッキン９６を更に備える。パッキン９６は、防水パッキン９５と本体部９３に収容されている蓄電池９Ｂとの間に設けられている。
【００９７】
第２の態様に係る電池ユニット９Ａでは、防水パッキン９５と本体部９３に収容されている蓄電池９Ｂとの間にパッキン９６が設けられている。これにより、配線スペースを確保しつつ、本体部９３に収容されている蓄電池９Ｂの移動を抑制することができる。
【００９８】
本発明の第３の態様に係る照明器具１は、第１又は第２の態様の電池ユニット９Ａと、非常用照明装置３とを備える。非常用照明装置３は、電池ユニット９Ａから給電される。
【００９９】
本発明の第４の態様に係る照明器具１は、第３の態様において、器具本体１０と、固定金具９１とを更に備える。器具本体１０には、非常用照明装置３が取り付けられる。固定金具９１は、器具本体１０との間に電池ユニット９Ａが配置された状態で器具本体１０に取り付けられて電池ユニット９Ａを器具本体１０に固定する。
【符号の説明】
【０１００】
１  照明器具
１０  器具本体
３  非常用照明装置
９Ａ  電池ユニット
９Ｂ  蓄電池
９１  固定金具
９３  本体部
９３Ａ  開口部
９４  蓋部
９５  防水パッキン
９５８  凹部
９６  パッキン
【図１】
2018147586.tif 000003
【図２】
2018147586.tif 000004
【図３】
2018147586.tif 000005
【図４】
2018147586.tif 000006
【図５】
2018147586.tif 000007
【図６】
2018147586.tif 000008
【図７】
2018147586.tif 000009
【図８】
2018147586.tif 000010
【図９】
2018147586.tif 000011
【図１０】
2018147586.tif 000012
【図１１】
2018147586.tif 000013
【図１２】
2018147586.tif 000014
【図１３】
2018147586.tif 000015
【図１４】
2018147586.tif 000016
【図１５】
2018147586.tif 000017
【図１６】
2018147586.tif 000018
【図１７】
2018147586.tif 000019
【図１８】
2018147586.tif 000020
【図１９】
2018147586.tif 000021
【図２０】
2018147586.tif 000022
【図２１】
2018147586.tif 000023